(57)【要約】【課題】プラスチック製のカードなどの比較的厚い媒体の斜行を抑制できる、画像読取装置を提供する。【解決手段】第２読取部３６は、板ばね６１の左端６３および右端６４により、第１読取部３５に向けて付勢されている。第１読取部３５の主走査方向において、カード挿入口１２１の長さは、第１読取部３５の読取範囲の長さよりも短く、カード挿入口１２１の中央は、第１読取部３５の中央である読取中央６５に対して右側に位置している。そして、主走査方向において、板ばね６１の左端６３の位置と右端６３の位置との中心である付勢中心６２は、読取中央６５に対して左側に位置している。【選択図】図６
2015070479.tif 000002
【特許請求の範囲】
【請求項１】
押圧部と、
主走査方向に延び、画像を読み取る第１読取部と、
前記押圧部を第１付勢位置において前記第１読取部に向けて付勢する第１付勢部と、
前記押圧部を前記主走査方向において前記第１付勢位置とは異なる第２付勢位置において前記第１読取部に向けて付勢する第２付勢部と、
前記主走査方向における長さが前記主走査方向における前記第１読取部の読取範囲の長さよりも短く、カードが挿入されるための挿入部と、
を備え、
前記主走査方向において、前記挿入部の中央は、前記第１読取部の中央である読取中央に対して一方側に位置し、
前記主走査方向における前記第１付勢位置と前記第２付勢位置との中心である付勢中心は、前記読取中央よりも前記主走査方向の他方側に位置する、画像読取装置。
【請求項２】
前記押圧部は、画像を読み取る第２読取部である、請求項１に記載の画像読取装置。
【請求項３】
前記第２付勢部は、前記読取中央よりも前記一方側に位置する、請求項１または２に記載の画像読取装置。
【請求項４】
前記付勢中心と前記読取中央との間の距離は、前記挿入部の前記読取中央側の端部と前記読取中央との間の距離よりも短い、請求項３に記載の画像読取装置。
【請求項５】
前記第１付勢部の付勢力と前記第２付勢部の付勢力とは、同じ大きさである、請求項１〜４のいずれか一項に記載の画像読取装置。
【請求項６】
前記第１付勢部は、板ばねの一端であり、前記第２付勢部は、前記板ばねの他端である、請求項１〜５のいずれか一項に記載の画像読取装置。
【発明の詳細な説明】
【技術分野】
【０００１】
本発明は、画像読取装置に関する。
【背景技術】
【０００２】
たとえば、特許文献１には、シート状の第１媒体および第１媒体よりも幅狭で厚い第２媒体（プラスチック製のカードなど）の画像を読み取り可能な画像読取装置が開示されている。
【０００３】
この画像読取装置では、第１媒体および第２媒体が搬送される搬送路の上下に、画像読取ユニットが設けられている。画像読取ユニットは、第１媒体および第２媒体の搬送方向と直交する主走査方向に延在している。搬送路を搬送される第１媒体または第２媒体が上下の画像読取ユニットの間を通過する際に、画像読取ユニットにより、その上面および／または下面の画像が読み取られる。
【先行技術文献】
【特許文献】
【０００４】
【特許文献１】特開２０１３−７５７５７号公報
【発明の概要】
【発明が解決しようとする課題】
【０００５】
第１媒体よりも厚い第２媒体が上下の画像読取ユニット間を通過することを考慮して、弾性部材により画像読取ユニットが搬送路側に付勢され、画像読取ユニットが上下に変位可能に構成されている。弾性部材による付勢位置は、画像読取ユニットの長手方向（主走査方向）の両端部に設定されている。これに対し、第２媒体は、搬送路の中央に対して長手方向の一方側に片寄った位置を搬送される。そのため、上下の画像読取ユニットの間を第２媒体が通過するときに、画像読取ユニットは、その一方側が持ち上がった状態に傾く。その結果、第２媒体は、画像読取ユニットにより画像読取ユニットの長手方向一方側に押圧され、搬送方向に対して斜行するおそれがある。
【０００６】
本発明の目的は、カードの斜行を抑制できる、画像読取装置を提供することである。
【課題を解決するための手段】
【０００７】
前記の目的を達成するため、本発明に係る画像読取装置は、押圧部と、主走査方向に延び、画像を読み取る第１読取部と、押圧部を第１付勢位置において第１読取部に向けて付勢する第１付勢部と、押圧部を主走査方向において第１付勢位置とは異なる第２付勢位置において第１読取部に向けて付勢する第２付勢部と、主走査方向における長さが主走査方向における第１読取部の読取範囲の長さよりも短く、カードが挿入されるための挿入部と、を備え、主走査方向において、挿入部の中央は、第１読取部の中央である読取中央に対して一方側に位置し、主走査方向における第１付勢位置と第２付勢位置との中心である付勢中心は、読取中央よりも主走査方向の他方側に位置する。
【０００８】
この構成によれば、押圧部は、第１付勢部および第２付勢部により、第１読取部に向けて付勢されている。第１読取部の主走査方向において、挿入部の長さは、第１読取部の読取範囲の長さよりも短く、挿入部の中央は、第１読取部の中央である読取中央に対して一方側に位置している。そのため、カード（プラスチック製のカードなどの比較的幅狭で厚い媒体）が挿入部から挿入された場合、カードは、第１読取部と押圧部との間において、読取中央に対して主走査方向の一方側の位置を搬送される。そして、主走査方向において、第１付勢部の第１付勢位置と第２付勢部の第２付勢位置との中心である付勢中心は、読取中央に対して他方側に位置している。カードが、第１読取部と押圧部との間において、読取中央に対して主走査方向の一方側の位置を搬送される際、押圧部は、一方側ほど変位量が大きくなる。付勢中心が、読取中央に対して他方側に位置しているので、付勢中心が、読取中央に対して一方側に位置しているよりも付勢力が弱くなる。この結果、カードが押圧部から受ける押圧力が弱くなる。よって、カードが第１読取部と押圧部との間を通過するときに、カードが押圧部により主走査方向の一方側に押圧されることを抑制できる。その結果、カードの斜行を抑制することができる。
【０００９】
押圧部は、画像を読み取る第２読取部であってもよい。
【００１０】
この場合、第１読取部と第２読取部との間を媒体が通過するときに、第１読取部および第２読取部により媒体の両面の画像を読み取ることができる。また、第２読取部が押圧部を兼ねることにより、読取装置の部品点数を削減しつつ、カードの斜行を抑制することができる。
【００１１】
第２付勢部は、読取中央よりも一方側に位置することが好ましい。
【００１２】
この構成によれば、第１付勢部の第１付勢位置と第２付勢部の第２付勢位置とが読取中央に対して主走査方向の両側に分かれて位置する。そのため、Ａ４サイズやレターサイズの厚紙などの媒体（以下、「厚紙」という。）が第１読取部と押圧部との間を通過するときに、押圧部からの押圧力が厚紙に対して主走査方向にバランスよく付与される。その結果、厚紙の斜行を抑制しつつ、カードの斜行を抑制することができる。
【００１３】
付勢中心と読取中央との間の距離は、挿入部の読取中央側の端部と読取中央との間の距離よりも短いことが好ましい。
【００１４】
これにより、第１付勢部の第１付勢位置、または第２付勢部の第２付勢位置を挿入部から挿入されるカードが通過する位置に近づけることができる。その結果、カードが第１読取部と押圧部との間を通過するときに、カードが押圧部から受ける押圧力の方向をカードの厚さ方向に向かせることができる。押圧部はカードに対して主走査方向の一方側が持ち上がった状態で当接するので、押圧力の方向が媒体の厚さ方向に向くと、押圧力の主走査方向の成分が小さくなる。よって、カードの斜行を一層抑制することができる。
【００１５】
第１付勢部の付勢力と第２付勢部の付勢力とは、同じ大きさであることが好ましい。
【００１６】
この場合、厚紙が第１読取部と押圧部との間を通過するときに、押圧部からの押圧力を厚紙に対して主走査方向に一層バランスよく付与することができる。その結果、厚紙の斜行を良好に抑制することができる。さらには、第１付勢部および第２付勢部を読取装置に組み付ける際に、第１付勢部を第２付勢位置に組み付けたり、第２付勢部を第１付勢位置に組み付けたりする誤りを考慮する必要がなくなるので、組み付けの手間を軽減することができる。
【００１７】
第１付勢部は、板ばねの一端であり、第２付勢部は、板ばねの他端であることが好ましい。
【００１８】
板ばねは、付勢方向に大きい配置スペースを必要としない。そのため、板ばねを採用することにより、押圧部に対する第１読取部側と反対側のスペースが小さくても、そのスペースに板ばねを容易に配置することができる。
【発明の効果】
【００１９】
本発明によれば、プラスチック製のカードなどの比較的厚い媒体の斜行を抑制することができる。
【図面の簡単な説明】
【００２０】
【図１】本発明の一実施形態に係る画像読取装置の斜視図であり、画像読取装置の非使用時の状態を示す。
【図２】画像読取装置の斜視図であり、画像読取装置の使用時の状態を示す。
【図３】画像読取装置の背面図である。
【図４】画像読取装置の図解的な断面図である。
【図５】左フレーム、右フレームおよび下フレームを示す斜視図である。
【図６】第１読取部、第２読取部および板ばねを示す正面図である。
【発明を実施するための形態】
【００２１】
以下では、本発明の実施の形態について、添付図面を参照しつつ詳細に説明する。
【００２２】
＜全体構成＞
【００２３】
図１および図２に示されるように、画像読取装置１は、筐体２およびトレイ３を備えている。筐体２は、左フレーム４、右フレーム５、上フレーム６、下フレーム７、操作パネルフレーム８および操作部９を備えている。
【００２４】
なお、以下の説明では、筐体２に対して開位置に位置するトレイ３が位置する側を後側とし、下フレーム７に対する上フレーム６側を上側として、上下、左右および前後の各方向を規定する。そして、図１以降の各図では、矢印で方向を表示する。
【００２５】
左フレーム４および右フレーム５は、左右方向に間隔を空けて配置されている。上フレーム６および下フレーム７は、左フレーム４と右フレーム５との間に配置されている。上フレーム６は、図２に示されるように、下フレーム７に上側から重なる。
【００２６】
操作パネルフレーム８は、上フレーム６に上側から重なる。操作部９は、操作パネルフレーム８において、下側の前後方向および左右方向の略中央に位置している。操作部９は、タッチパネル付の操作パネル１０を備えている。操作パネル１０は、図２に示されるように、操作パネルフレーム８に設けられた開口部１１から上側に露出するように配置されている。
【００２７】
図２に示すように、トレイ３は、第１トレイ１２、第２トレイ１３および第３トレイ１４を備えている。
【００２８】
第１トレイ１２の左右方向と直交する方向の一端部は、第２トレイ１３の左右方向と直交する方向の一端部に、左右方向に延びる軸線まわりに回動可能に連結されている。一方、第１トレイ１２の他端部は、筐体２の左フレーム４および右フレーム５の上下方向の略中央に、非図示のトレイ軸部を中心に回動可能に支持されている。第２トレイ１３の他端部は、第３トレイ１４の左右方向と直交する方向の一端部に、左右方向に延びる軸線まわりに回動可能に連結されている。
【００２９】
これにより、トレイ３は、図１に示されるように、第１トレイ１２が上フレーム６に後側から重なり、第２トレイ１３が操作パネルフレーム８に上側から重なり、第３トレイ１４が上フレーム６に前側から重なることにより、上フレーム６および操作パネルフレーム８を覆う。また、トレイ３は、その上フレーム６および操作パネルフレーム８を覆う閉位置から、図２に示されるように、第１トレイ１２が下フレーム７の後上端部から後上側に延び、第２トレイ１３が第１トレイ１２と平行に延び、第３トレイ１４が、第２トレイ１３から上側に延びる開位置に変位可能に構成される。そして、トレイ３が開位置に位置する状態において、トレイ３上に、Ａ４サイズ、およびレターサイズの薄紙または厚紙からなるシートＳが載置可能である。
【００３０】
第２トレイ１３には、トレイ３が閉位置に位置するときに操作パネル１０と上下方向に重なる位置に、操作パネル１０の外形とほぼ同じサイズの開口１５が形成されている。これにより、トレイ３が開位置に位置する状態および閉位置に位置する状態のいずれの状態においても、操作パネル１０を視認することができる。
【００３１】
上フレーム６は、図４に示されるように、下フレーム７に対して上下方向に間隔を空けて配置されている。上フレーム６の後端縁と下フレーム７の後端縁との間に形成される挿入口１７は、後上側に開放されている。また、上フレーム６の前端縁と下フレーム７の前端縁との間に形成される排出口１８は、前側に開放されている。上フレーム６と下フレーム７との間は、図４に示されるように、シートＳが搬送される搬送路１６である。搬送路１６は、挿入口１７および排出口１８を結んで形成されている。シートＳは、挿入口１７から搬送路１６に導入され、搬送路１６を排出口１８に向けて搬送される。
【００３２】
画像読取装置１は、供給ローラ３１、分離片３２、搬送駆動ローラ３３、搬送従動ローラ３４、第１読取部３５、第２読取部３６、排出駆動ローラ３７および排出従動ローラ３８を備えている。
【００３３】
供給ローラ３１は、挿入口１７の前側に配置されている。供給ローラ３１は、下フレーム７に、下フレーム７の後端部で左右方向に延びる回転軸線まわりに回転可能に保持されている。供給ローラ３１の周面の一部は、下フレーム７の上面から前上側に突出している。
【００３４】
分離片３２は、たとえば、ゴムからなる。分離片３２は、上フレーム６に取り付けられている。分離片３２は、供給ローラ３１の周面に前上側から弾性的に当接している。
【００３５】
搬送駆動ローラ３３は、供給ローラ３１の前側に配置されている。搬送駆動ローラ３３は、下フレーム７に、左右方向に延びる回転軸線まわりに回転可能に保持されている。搬送駆動ローラ３３の周面の一部は、下フレーム７の上面から上側に突出している。
【００３６】
搬送従動ローラ３４は、搬送駆動ローラ３３の上側に配置されている。搬送従動ローラ３４は、上フレーム６に、左右方向に延びる回転軸線まわりに回転可能に保持されている。搬送従動ローラ３４の周面は、上フレーム６の下面から下側に突出し、搬送駆動ローラ３３の周面に当接している。
【００３７】
第１読取部３５は、搬送駆動ローラ３３の前側に配置されている。第１読取部３５は、下フレーム７の上面から下側に凹んで形成された第１収容部４１に収容されている。第１読取部３５は、その長手方向が主走査方向であり第１収容部４１内で左右方向に延在している。第１読取部３５は、その読取面を上側に向けた状態で第１収容部４１に収容されている。
【００３８】
第２読取部３６は、搬送従動ローラ３４の前側に配置されている。第２読取部３６は、上フレーム６の下面から上側に凹んで形成された第２収容部４２に収容されている。第２読取部３６は、その長手方向が主走査方向であり第２収容部４２内で左右方向に延在している。第２読取部３６は、その読取面を下側に向けた状態で第２収容部４２に収容されている。第２読取部３６は、第２収容部４２内で上下方向に変位可能に構成されている。
【００３９】
排出駆動ローラ３７は、第１読取部３５の前側に配置されている。排出駆動ローラ３７は、下フレーム７に、下フレーム７の前端部で左右方向に延びる回転軸線まわりに回転可能に保持されている。排出駆動ローラ３７の周面の一部は、下フレーム７の上面から上側に突出している。
【００４０】
排出従動ローラ３８は、第２読取部３６の前側に配置されている。排出従動ローラ３８は、上フレーム６に、上フレーム６の前端部で左右方向に延びる回転軸線まわりに回転可能に保持されている。排出従動ローラ３８の周面は、上フレーム６の下面から下側に突出し、排出駆動ローラ３７の周面に当接している。
【００４１】
＜カード挿入口＞
【００４２】
画像読取装置１では、カードＣに描かれている画像を読み取ることができる。カードＣは、トレイ３上に載置されるシートＳよりも比較的幅狭で肉厚な媒体である。カードＣとしては、名刺、キャッシュカード、クレジットカード、会員証または免許証などを例示することができる。
【００４３】
カードＣの画像の読み取りのために、画像読取装置１は、図３および図４に示されるように、挿入口の一例としてのカード挿入口１２１を有している。カード挿入口１２１は、図４に示されるように、下フレーム７の後面の右端部において、搬送駆動ローラ３３と搬送従動ローラ３４との当接位置と同じ高さの位置に形成されている。カード挿入口１２１は、左右方向に延びる略矩形状をなしている。カード挿入口１２１の左右方向の幅は、国際標準化機構（ＩＳＯ）／国際電気標準会議（ＩＥＣ）による国際規格ＩＤ−１のカードサイズの短辺の長さ（５３．９８ｍｍ）よりも少し大きく、そのカードサイズの長辺の長さ（８５．６０ｍｍ）よりも小さい。また、カード挿入口１２１の左右方向の幅は、第１読取部３５の左右方向における読取範囲の長さよりも短い。
【００４４】
＜シートの画像の読み取り＞
【００４５】
シートＳの画像の読み取りの際には、図２に示されるように、トレイ３が開位置に配置される。そして、トレイ３上にシートＳが載置される。
【００４６】
トレイ３上に載置されるシートＳは、その先端部が供給ローラ３１および分離片３２に当接するまで、挿入口１７内に差し込まれる。このとき、供給ローラ３１、搬送駆動ローラ３３および排出駆動ローラ３７が右側から見て反時計回りに回転される。また、搬送従動ローラ３４および排出従動ローラ３８は、それぞれ搬送駆動ローラ３３および排出駆動ローラ３７の回転に従動して、右側から見て時計回りに回転する。
【００４７】
シートＳが供給ローラ３１の周面に当接すると、供給ローラ３１からシートＳに搬送力が付与され、シートＳが供給ローラ３１と分離片３２との間に引き込まれる。そして、分離片３２の働きにより、シートＳが１枚ずつに分離され、１枚のシートＳが供給ローラ３１と分離片３２との間を通過する。
【００４８】
シートＳが搬送駆動ローラ３３および搬送従動ローラ３４の各周面に当接すると、搬送駆動ローラ３３および搬送従動ローラ３４からシートＳに搬送力が付与される。この搬送力により、シートＳは、前側に搬送されて、搬送駆動ローラ３３と搬送従動ローラ３４との間を通過する。
【００４９】
その後、シートＳは、第１読取部３５と第２読取部３６との間を通過する。このとき、第１読取部３５の読取面上および第２読取部３６の読取面上のシートＳに、それぞれ第１読取部３５および第２読取部３６から光が照射される。そして、シートＳでの反射光が第１読取部３５および第２読取部３６に受けられることにより、シートＳの両面の画像が読み取られる。
【００５０】
そして、シートＳが排出駆動ローラ３７および排出従動ローラ３８の各周面に当接すると、排出駆動ローラ３７および排出従動ローラ３８からシートＳに搬送力が付与される。この搬送力により、シートＳは、前側に搬送されて、排出口１８を通して排出される。
【００５１】
＜カードの画像の読み取り＞
【００５２】
カードＣの画像の読み取りの際には、図４に示されるように、カードＣの短辺の方向をカード挿入口１２１の左右方向と平行にして、カードＣの長手方向の他端部がカード挿入口１２１に後側から差し込まれる。このとき、搬送駆動ローラ３３および排出駆動ローラ３７が右側から見て反時計回りに回転される。また、搬送従動ローラ３４および排出従動ローラ３８は、それぞれ搬送駆動ローラ３３および排出駆動ローラ３７の回転に従動して、右側から見て時計回りに回転する。
【００５３】
その後、カードＣが前側にさらに差し込まれて、カードＣが搬送駆動ローラ３３および搬送従動ローラ３４の各周面に当接すると、搬送駆動ローラ３３からカードＣに搬送力が付与される。この搬送力により、カードＣは、前側に搬送されて、搬送駆動ローラ３３と搬送従動ローラ３４との間を通過する。
【００５４】
その後、カードＣは、第１読取部３５と第２読取部３６との間を通過する。このとき、第１読取部３５の読取面上および第２読取部３６の読取面上のカードＣに、それぞれ第１読取部３５および第２読取部３６から光が照射される。そして、カードＣでの反射光が第１読取部３５および第２読取部３６に受けられることにより、カードＣの両面の画像が読み取られる。
【００５５】
そして、カードＣが排出駆動ローラ３７および排出従動ローラ３８の各周面に当接すると、排出駆動ローラ３７および排出従動ローラ３８からシートＳに搬送力が付与される。この搬送力により、カードＣは、前側に搬送されて、排出口１８を通して排出される。
【００５６】
＜板ばね＞
【００５７】
第２読取部３６の上面と第２収容部４２（図４参照）の下面との間には、板ばね６１が設けられている。
【００５８】
板ばね６１は、図５および図６に示されるように、左右方向に延在している。板ばね６１は、中央部６１１、左部６１２および右部６１３を一体的に有し、左右対称に形成されている。中央部６１１は、第２読取部３６の上面と平行をなして左右方向に延びている。左部６１２は、中央部６１１から左下方に延びている。右部６１３は、中央部６１１から右下方に延びている。
【００５９】
中央部６１１は、第２収容部４２の下面に当接している。また、左部６１２の左端６３および右部６１３の右端６４は、第２読取部３６の上面に当接している。そして、板ばね６１は、第２読取部３６の上面と第２収容部４２の下面との間に、上下方向に圧縮されて、弾性変形した状態で介在されている。これにより、板ばね６１の左端６３および右端６４は、第２読取部３６を同じ付勢力で下方に押圧し、それぞれ第２読取部３６を付勢する第１付勢部および第２付勢部を構成している。
【００６０】
また、板ばね６１は、左側に片寄った位置に配置されている。具体的には、板ばね６１は、その左右方向の中心６２が第２読取部３６の左右方向の中央６５よりも左側に位置し、かつ、第２付勢部６４が中央６５よりも右側に位置するように配置されている。板ばね６１が左右対称に形成されているので、板ばね６１の中心６２は、第１付勢部（左端）６３の付勢位置と第２付勢部（右端）６４の付勢位置との中心である付勢中心と一致する。また、第２読取部３６の中央６５は、第２読取部３６による読取範囲の左右方向の中央である読取中央と一致している。したがって、板ばね６１の付勢中心６２は、第２読取部３６の読取中央６５よりも左側に位置していると言える。そして、付勢中心６２と読取中央６５との間の距離Ｌ１は、カード挿入口１２１の右端部６６と読取中央６５との間の距離Ｌ２よりも短くなっている。下フレーム７は、第１読取部３５の主走査方向、第１付勢部６３および第２付勢部６４の付勢方向に直交する方向にカード挿入口１２１を備えている。
【００６１】
＜作用効果＞
【００６２】
以上のように、第２読取部３６は、板ばね６１の左端６３および右端６４により、第１読取部３５に向けて付勢されている。第１読取部３５の主走査方向、つまり左右方向において、カード挿入口１２１の長さは、第１読取部３５の読取範囲の長さよりも短い。言い換えれば、筐体２は、第１読取部３５の主走査方向と第１付勢部の一例である板ばね６１の左端６３および第２付勢部の一例である板ばね６１の右端６４の付勢方向との両方向に直交する方向に向いたカード挿入口１２１を備えている。カード挿入口１２１の中央は、第１読取部３５の中央である読取中央６５に対して右側に位置している。そのため、カードＣがカード挿入口１２１から挿入された場合、カードＣは、第１読取部３５と第２読取部３６との間において、読取中央６５に対して右側の位置を搬送される。そして、板ばね６１の左端６３の位置と右端６４の位置との中心である付勢中心６２は、読取中央６５に対して左側に位置している。これにより、カードＣが第１読取部３５と第２読取部３６との間を通過するときに、カードＣが第２読取部３６により右側に押圧されることを抑制できる。その結果、カードＣの斜行を抑制することができる。
【００６３】
画像読取装置１においては、第２読取部３６が備えられているので、第１読取部３５と第２読取部３６との間をカードＣが通過するときに、第１読取部３５および第２読取部３６によりカードＣの両面の画像を読み取ることができる。また、第２読取部３６が押圧部を兼ねることにより、画像読取装置１の部品点数を削減することができる。
【００６４】
第２付勢部６４が、読取中央６５よりも右側に位置しているので、板ばね６１の左端６３の位置と右端６４の位置とが読取中央６５に対して左右方向の両側に分かれて位置する。そのため、シートＳがＡ４サイズやレターサイズの厚紙である場合、そのシートＳが第１読取部３５と第２読取部３６との間を通過するときに、第２読取部３６からシートＳに押圧力が左右方向にバランスよく付与される。その結果、シートＳの斜行を抑制することができる。
【００６５】
付勢中心６２と読取中央６５との間の距離Ｌ１は、カード挿入口１２１の右端部６６と読取中央６５との間の距離Ｌ２よりも短い。
【００６６】
これにより、板ばね６１の右端６４の位置をカード挿入口１２１から挿入されるカードＣが通過する位置に近づけることができる。その結果、カードＣが第１読取部３５と第２読取部３６との間を通過するときに、カードＣが第２読取部３６から受ける押圧力の方向をカードＣの厚さ方向と一致する上下方向に近づけることができる。よって、カードＣの斜行を一層抑制することができる。
【００６７】
板ばね６１の第１付勢部６３の付勢力と第２付勢部６４の付勢力とは、同じ大きさである。
【００６８】
そのため、付勢中心６２が読取中央６５よりも左側に位置することにより、カードＣが第１読取部３５と第２読取部３６との間を通過するときに、カードＣが第２読取部３６により右側に押圧されることを効果的に抑制できる。その結果、カードＣの斜行を良好に抑制することができる。また、シートＳがＡ４サイズやレターサイズの厚紙である場合、そのシートＳが第１読取部３５と第２読取部３６との間を通過するときに、第２読取部３６からシートＳに押圧力を左右方向に一層バランスよく付与することができる。その結果、シートＳの斜行を良好に抑制することができる。さらには、板ばね６１を画像読取装置１に組み付ける際に、それらの相対位置を考慮する必要がなくなるので、組み付けの手間を軽減することができる。
【００６９】
＜変形例＞
【００７０】
以上、本発明の一実施形態について説明したが、本発明は、他の形態で実施することもできる。
【００７１】
前述の実施形態では、第１読取部３５および第２読取部３６を備え、第２読取部３６が本発明の押圧部の一例をなす構成を取り上げた。しかしながら、第２読取部３６が省略されてもよく、その場合には、第２読取部３６に代えて、第１付勢部６３および第２付勢部６４により第１読取部３５に向けて付勢されるローラなどの押圧部が設けられるとよい。
【００７２】
また、前述の実施形態では、第２読取部３６が上下方向に変位可能に設けられて、板ばね６１により、第２読取部３６が第１読取部３５に向けて付勢される構成を取り上げた。しかしながら、第１読取部３５が上下方向に変位可能に設けられて、板ばねにより、第１読取部３５が第２読取部３６に向けて付勢される構成に、本発明を適用することも可能である。
【００７３】
また、板ばね６１に代えて、板ばね６１以外の弾性部材が採用されてもよい。たとえば、板ばね６１に代えて、２個のコイルばねが第１付勢部６３および第２付勢部６４として用いられてもよい。
【００７４】
ただし、板ばね６１は、コイルばねと比較して、付勢方向に大きい配置スペースを必要としない。そのため、板ばね６１を採用することにより、第２読取部３６に対する第１読取部３５側と反対側のスペースが小さくても、そのスペースに板ばね６１を容易に配置することができる。
【００７５】
前述の実施形態においては、第１付勢部６３の付勢位置および第２付勢部６４の付勢位置の２点で第２読取部３６を付勢しているが、３点以上において、第２読取部３６を付勢してもよい。
【００７６】
また、第１付勢部６３の付勢力とおよび第２付勢部６４の付勢力が異なっていてもよい。
【００７７】
その他、前述の構成には、特許請求の範囲に記載された事項の範囲で種々の設計変更を施すことが可能である。
【符号の説明】
【００７８】
１      画像読取装置
３５    第１読取部
３６    第２読取部（押圧部）
６１    板ばね
６３    第１付勢部
６４    第２付勢部
１２１  カード挿入口（挿入部）
【図１】
2015070479.tif 000003
【図２】
2015070479.tif 000004
【図３】
2015070479.tif 000005
【図４】
2015070479.tif 000006
【図５】
2015070479.tif 000007
【図６】
2015070479.tif 000008